(57)【要約】【課題】  互いに異なって配置した複数の画像表示素子を備え、該画像表示素子によりそれぞれ変調した複数の色光を合成してフルカラー表示を行う画像表示装置において、使用者が簡単な方法で実行することが可能な画素ずれ調整を行なう。【解決手段】  第一の色光を変調する第一の画像表示素子における所定の表示領域中の特定位置に、一画素幅の垂直な直線を表示すると共に、第二の色光を変調する第二の画像表示素子に、前記第一の画像表示素子に表示した直線と所定の表示領域中の同じ位置に一画素幅の垂直な直線を表示する組合せと、前記直線に対して一画素だけ左にずらした一画素幅の垂直な直線を表示する組合せと、前記直線に対して一画素だけ右にずらした一画素幅の垂直な直線を表示する組合せと、を同時に表示し、  該複数表示した直線の組合せから複数の色光の表示位置が一致して見える表示の組合せを選択することによって画素ずれを調整する。【選択図】  図４
2007049615.tif 000002
【特許請求の範囲】
【請求項１】
互いに異なって配置した複数の画像表示素子を備え、該画像表示素子によりそれぞれ変調した複数の色光を合成してフルカラー表示を行う画像表示装置において、
第一の色光を変調する第一の画像表示素子における所定の表示領域中の特定位置に、一画素幅の垂直あるいは水平な直線を表示すると共に、第二の色光を変調する第二の画像表示素子に、前記第一の画像表示素子に表示した直線と所定の表示領域中の同じ位置に一画素幅の垂直あるいは水平な直線を表示する組合せと、前記直線に対して一画素だけ左あるいは上にずらした一画素幅の垂直あるいは水平な直線を表示する組合せと、前記直線に対して一画素だけ右あるいは下にずらした一画素幅の垂直あるいは水平な直線を表示する組合せと、を同時に表示し、
該複数表示した直線の組合せから複数の色光の表示位置が一致して見える表示の組合せを選択することによって画素ずれを調整することを特徴とする画素ずれ調整方法。
【請求項２】
互いに異なって配置した複数の画像表示素子を備え、該画像表示素子によりそれぞれ変調した複数の色光を合成してフルカラー表示を行う画像表示装置において、
第一の色光を変調する第一の画像表示素子における所定の表示領域中の特定位置に、一画素幅の垂直あるいは水平な直線を所定の間隔を開けて複数本表示すると共に、第二の色光を変調する第二の画像表示素子に、前記第一の画像表示素子に表示した複数本の直線と所定の表示領域中の同じ位置に一画素幅の垂直あるいは水平な複数本の直線を表示する組合せと、前記複数本の直線に対して一画素だけ左あるいは上にずらした一画素幅の垂直あるいは水平な複数本の直線を表示する組合せと、前記複数本の直線に対して一画素だけ右あるいは下にずらした一画素幅の垂直あるいは水平な複数本の直線を表示する組合せと、を同時に表示し、
該複数表示した複数本の直線の組合せについて、複数本表示した直線のうち複数の色光の表示位置が一致して見える直線の本数を入力し、
該複数本の直線の組合せに対してそれぞれ複数の色光が一致する本数の組合せを判別することによって画素ずれを調整することを特徴とする画素ずれ調整方法。
【請求項３】
前記画像表示装置は、前記画像表示素子を３枚備え、前記表示の組合せは、第一の画像表示素子に表示する一画素幅の垂直あるいは水平な直線に対して、第二および第三の画像表示素子において、前記第一の画像表示素子における直線の表示位置に一致させた一画素幅の垂直あるいは水平な直線の表示組合せと、第二の画像表示素子に表示する垂直あるいは水平な直線を、左あるいは上、および右あるいは下にそれぞれずらした表示組合せと、第三の画像表示素子に表示する垂直あるいは水平な直線を、左あるいは上、および右あるいは下にそれぞれずらした表示組合せと、第二および第三の画像表示素子に表示する垂直あるいは水平な直線を両方とも左あるいは上、および右あるいは下にそれぞれずらした表示組合せと、第二および第三の画像表示素子に表示する垂直あるいは水平な直線を交互に左右あるいは上下にそれぞれずらした表示組合せの合計９組の表示を同時に行うことを特徴とする請求項１あるいは請求項２に記載の画素ずれ調整方法。
【請求項４】
互いに異なって配置した複数の画像表示素子を備え、該画像表示素子によりそれぞれ変調した複数の色光を合成してフルカラー表示を行う画像表示装置において、
第一の色光を変調する第一の画像表示素子における所定の表示領域中の特定位置に、一画素幅の垂直あるいは水平な直線を表示すると共に、第二の色光を変調する第二の画像表示素子に、前記第一の画像表示素子に表示した直線と所定の表示領域中の同じ位置に一画素幅の垂直あるいは水平な直線を表示する組合せと、前記直線に対して一画素だけ左あるいは上にずらした一画素幅の垂直あるいは水平な直線を表示する組合せと、前記直線に対して一画素だけ右あるいは下にずらした一画素幅の垂直あるいは水平な直線を表示する組合せと、を同時に表示する手段と、
該複数表示した直線の組合せから複数の色光の表示位置が一致して見える表示の組合せを選択する手段と、
該選択手段によって選択された表示組合せに基づいて画像表示素子における表示位置を移動させる画像表示位置調整手段と、を備えることを特徴とする画像表示装置。
【請求項５】
互いに異なって配置した複数の画像表示素子を備え、該画像表示素子によりそれぞれ変調した複数の色光を合成してフルカラー表示を行う画像表示装置において、
第一の色光を変調する第一の画像表示素子における所定の表示領域中の特定位置に、一画素幅の垂直あるいは水平な直線を所定の間隔を開けて複数本表示すると共に、第二の色光を変調する第二の画像表示素子に、前記第一の画像表示素子に表示した複数本の直線と所定の表示領域中の同じ位置に一画素幅の垂直あるいは水平な複数本の直線を表示する組合せと、前記複数本の直線に対して一画素だけ左あるいは上にずらした一画素幅の垂直あるいは水平な複数本の直線を表示する組合せと、前記複数本の直線に対して一画素だけ右あるいは下にずらした一画素幅の垂直あるいは水平な複数本の直線を表示する組合せと、を同時に表示する手段と、
該複数表示した複数本の直線の組合せについて、複数本表示した直線のうち複数の色光の表示位置が一致して見える直線の本数を入力する手段と、
該入力手段によって入力される、前記複数本の直線の組合せに対してそれぞれ複数の色光が一致する本数の組合せに基づいて画像表示素子における表示位置を移動させる画像表示位置調整手段と、を備えることを特徴とする画像表示装置。
【請求項６】
互いに異なって配置した複数の画像表示素子を備え、該画像表示素子によりそれぞれ変調した複数の色光を合成してフルカラー表示を行う画像表示装置に対して、
第一の色光を変調する第一の画像表示素子における所定の表示領域中の特定位置に、一画素幅の垂直あるいは水平な直線を表示すると共に、第二の色光を変調する第二の画像表示素子に、前記第一の画像表示素子に表示した直線と所定の表示領域中の同じ位置に一画素幅の垂直あるいは水平な直線を表示する組合せと、前記直線に対して一画素だけ左あるいは上にずらした一画素幅の垂直あるいは水平な直線を表示する組合せと、前記直線に対して一画素だけ右あるいは下にずらした一画素幅の垂直あるいは水平な直線を表示する組合せと、を同時に表示し、
該複数表示した直線の組合せから複数の色光の表示位置が一致して見える表示の組合せを選択することによって画素ずれを調整することを特徴とする画素ずれ調整方法を実現するプログラム。
【請求項７】
互いに異なって配置した複数の画像表示素子を備え、該画像表示素子によりそれぞれ変調した複数の色光を合成してフルカラー表示を行う画像表示装置に対して、
第一の色光を変調する第一の画像表示素子における所定の表示領域中の特定位置に、一画素幅の垂直あるいは水平な直線を所定の間隔を開けて複数本表示すると共に、第二の色光を変調する第二の画像表示素子に、前記第一の画像表示素子に表示した複数本の直線と所定の表示領域中の同じ位置に一画素幅の垂直あるいは水平な複数本の直線を表示する組合せと、前記複数本の直線に対して一画素だけ左あるいは上にずらした一画素幅の垂直あるいは水平な複数本の直線を表示する組合せと、前記複数本の直線に対して一画素だけ右あるいは下にずらした一画素幅の垂直あるいは水平な複数本の直線を表示する組合せと、を同時に表示し、
該複数表示した複数本の直線の組合せについて、複数本表示した直線のうち複数の色光の表示位置が一致して見える直線の本数を入力し、
該複数本の直線の組合せに対してそれぞれ複数の色光が一致する本数の組合せを判別することによって画素ずれを調整することを特徴とする画素ずれ調整方法を実現するプログラム。
【発明の詳細な説明】
【技術分野】
【０００１】
本発明は、複数の色表示に対応する画像表示素子の画像を合成してフルカラー表示を行う場合の画素ずれ調整方法、および該画素ずれ調整方法を備えた画像表示装置に関し、特に投射型画像表示装置に使用して好適なものである。
【背景技術】
【０００２】
近年、会議やプレゼンテーションなどの場で、パーソナルコンピュータにおけるアプリケーションソフトを利用して作成した文書や表、あるいはプレゼンテーションと言った様々なデータを、フロントプロジェクタあるいはリアプロジェクタ等の大画面ディスプレイを利用して表示する機会が増加してきている。また、プロジェクション型テレビ受像機では、低消費電力や高精細といった特徴から、従来の投射管方式に代わって液晶パネルを使用したものになってきている。
【０００３】
こうしたプロジェクタの投射表示部は、図１３の光学系概略構成例に示すように、一般にＲ、Ｇ、Ｂ３原色に対応した画像を形成する液晶パネルを３枚備え、該液晶パネルで変調したＲ、Ｇ、Ｂ光を合成してスクリーンに拡大投射することでフルカラー画像の表示を行う。図１３において、１は光源ランプ、２、３はランプ光をＲ、Ｇ、Ｂ光に分離するダイクロイックミラー、４，５，６は分離したそれぞれの色光を伝達する反射ミラーであり、７、８，９はそれぞれＲ、Ｇ、Ｂ光を変調する液晶パネル、１０は液晶パネル７，８，９でそれぞれ変調した色光を合成するダイクロイックプリズム、１１は合成した色光を拡大投射する投射レンズである。
【０００４】
このような、いわゆる３板式投射型表示装置では、それぞれの液晶パネル７，８，９において変調した色光の画像間にずれがあると、表示文字が滲んだり、色割れが生じたり、というように表示品位が低下してしまう。該ずれは、各液晶パネル７，８，９のレジストレーションのずれ、いわゆる画素ずれが直接の原因であり、従って、それぞれの液晶パネルの相対的な位置を高精度に調整して固定する必要がある。
【０００５】
従来、液晶パネルの調整固定方法としては、液晶パネル７，８，９の保持部にネジ等の機械的手法による調整機構を備え、製造工程で位置調整を行って固定する方法がある。しかしながら、機械的手法による調整固定方法では、調整機構が複雑であり、さらに振動などの衝撃や熱等によって調整位置がずれ易いという問題があった。
【０００６】
そこで、特開平６−１１８３６８号公報では、冶具を用いて液晶パネル７，８，９の相対位置を調整し、直接ダイクロイックプリズム１０に固着することで複雑な調整機構をプロジェクタ投射光学系の外部に出すと共に振動などの衝撃があっても調整位置がずれにくい調整固定方法が提案されている。
【特許文献１】特開平０６−１１８３６８号公報
【発明の開示】
【発明が解決しようとする課題】
【０００７】
しかしながら、従来の機械的手法による調整固定方法では、画素ずれが生じて再調整するためには、液晶パネルの保持部を露出して作業しなければならず、調整作業に手間や時間がかかり、さらには、調整に熟練を要するといった問題があった。また、特開平６−１１８３６８号公報による調整固定方法では、ダイクロイックプリズムと液晶パネルとが固着されているために振動などの衝撃には強いものの熱による調整位置の経年変化が考えられ、そのために生ずる画素ずれを調整するためには、いったん液晶パネルをダイクロイックプリズムから外さねばならず、実際上再調整が不可能であった。
【０００８】
今後、３板式の投射型画像表示装置が広く普及し、一般的な使用者が増えていくことを想定すると、このような画素ずれを使用者が容易に調整できる手段を備える必要がある。
【０００９】
本発明は、上記の点に鑑みてなされたものであり、その目的は、使用者が簡単な方法で実行することが可能な画素ずれ調整方法、該画素ずれ調整方法を備えた画像表示装置、および該画素ずれ調整方法実現するプログラムを提供することにある。
【課題を解決するための手段】
【００１０】
本発明は、上記事情を考慮してなされたものであり、その目的は、互いに異なって配置した複数の画像表示素子を備え、該画像表示素子によりそれぞれ変調した複数の色光を合成してフルカラー表示を行う画像表示装置において、
第一の色光を変調する第一の画像表示素子における所定の表示領域中の特定位置に、一画素幅の垂直あるいは水平な直線を表示すると共に、第二の色光を変調する第二の画像表示素子に、前記第一の画像表示素子に表示した直線と所定の表示領域中の同じ位置に一画素幅の垂直あるいは水平な直線を表示する組合せと、前記直線に対して一画素だけ左あるいは上にずらした一画素幅の垂直あるいは水平な直線を表示する組合せと、前記直線に対して一画素だけ右あるいは下にずらした一画素幅の垂直あるいは水平な直線を表示する組合せと、を同時に表示し、
該複数表示した直線の組合せから複数の色光の表示位置が一致して見える表示の組合せを選択することによって画素ずれを調整することで達成される。
【発明の効果】
【００１１】
以上説明したように、本発明によると、画素ずれ調整用の９組の直線を表示して、該表示状態を判別することによって使用者が熟練を要することなく用意に画素ずれを調整することが出来る。
【００１２】
また、本発明によれば、経年変化等によって画像表示素子の位置がずれた場合でも該画像表示素子の保持部を露出することなく画素ずれを調整することが出来るという利点がある。
【発明を実施するための最良の形態】
【００１３】
（実施の形態１）
以下、本発明の実施形態について説明する。
【００１４】
図１は、画像表示装置の電気回路の概略構成を示すブロック図である。画像表示装置１００は、ディスプレイ入力インタフェース１０１と、画像処理部１０２と、Ｒ画像表示素子１０３と、Ｇ画像表示素子１０４と、Ｂ画像表示素子１０５と、オン・スクリーン・ディスプレイ生成部（以下ＯＳＤ生成部）１０６と、システムコントローラ１０７と、操作キー入力部１０８とを含んで構成される。ここで、画像表示素子１０３乃至１０５は、図１３に示す光学構成例のように配置される。
【００１５】
以上の構成において、パーソナルコンピュータやビデオ機器といった画像出力装置３００から出力されるビデオ信号は、ビデオケーブル２００を介してディスプレイインタフェース１０１へ入力される。入力されたビデオ信号は、画像処理部１０２へ入力され、アナログ信号であった場合にはＡ／Ｄ変換し、デジタル信号であった場合にはそのままのデジタルデータとして、いったん図示しないメモリへ格納される。また、画像処理部１０２では、図示しないメモリに格納されたビデオ信号を読み出すと共に、画像表示素子１０３乃至１０５に表示するためのフォーマット変換などを行って、画像表示素子１０３乃至１０５の駆動タイミング信号と共にビデオ信号を出力する。画像表示素子１０３乃至１０５は、画像処理部１０２で処理されたビデオ信号およびタイミング信号に基づいて画像表示を行う。システムコントローラ１０７は、画像表示装置１００全体の制御を行い、特に操作キー入力部１０８からの操作キー信号に基づいて画像表示装置１００の機能制御や調整操作を可能とする。ＯＳＤ生成部１０６は、システムコントローラ１０７の制御に従って、メニュー画面などの画像信号を生成する。ＯＳＤ生成部１０２で生成されたＯＳＤ信号は、画像処理部１０２においてディスプレイインタフェース１０１から入力されるビデオ信号に重畳して画面に表示する。
【００１６】
図２は、図１３に示した光学構成例において、Ｒ画像表示素子１０３が他の画像表示素子１０４乃至１０５に対して水平方向に右へ一画素位置がずれてしまった状態を示す。この状態における合成表示は、Ｇ画像表示素子１０４とＢ画像表示素子１０５のそれぞれに表示される画像位置が一致するので色はシアンＣとなり、これに赤色Ｒが右側にずれた表示となる。
【００１７】
また、図３は、Ｂ画像表示素子１０５が他の画像表示素子１０３乃至１０４に対して垂直方向に下へ１画素位置がずれてしまった状態を示す。この状態における合成表示は、Ｒ画像表示素子１０３とＧ画像表示素子１０４のそれぞれに表示される画像位置が一致するので色はイエローＹとなり、これに青色Ｂが下側にずれた表示となる。
【００１８】
本実施形態では、図２に示したような画素ずれを調整するために、画像表示装置１００に画素ずれ調整モードを設け、該画素ずれ調整モード時に図４に示す画像をＯＳＤ生成部１０２で生成して各画像表示素子１０３乃至１０５に表示する。
【００１９】
すなわち、図４（１）では、画像表示素子１０３乃至１０５のそれぞれの表示領域中において、同一表示位置に垂直な直線（補正＝０）を表示する。図４（２）では、Ｇ画像表示素子１０４とＢ画像表示素子１０５上の表示位置は変えずにＲ画像表示素子１０３上の画像を一画素右にシフトした直線（補正＝Ｒ＋１）を表示し、図４（３）では、Ｇ画像表示素子１０４とＢ画像表示素子１０５上の表示位置は変えずにＲ画像表示素子１０３上の画像を一画素左にシフトした直線（補正＝Ｒ−１）を表示する。図４（４）および（５）は、図４（２）および（３）と同様にＲ画像表示素子１０３およびＧ画像表示素子１０４に対してＢ画像表示素子１０５上の表示位置を右（補正＝Ｂ＋１）および左（補正＝Ｂ−１）にシフトした直線を表示する。図４（６）および（７）は、Ｇ画像表示素子１０４に対してＲ画像表示素子１０３およびＢ画像表示素子１０５上の直線位置をそれぞれ右（補正＝Ｒ＋１、Ｂ＋１）および左（補正＝Ｒ−１、Ｂ−１）にシフトした直線を表示する。図４（８）では、Ｇ画像表示素子１０４に対してＲ画像表示素子１０３上の表示位置を右にシフトすると共にＢ画像表示素子１０５上の表示位置を左にシフトした直線（補正＝Ｒ＋１、Ｂ−１）を表示し、図４（９）では、Ｇ画像表示素子１０４に対してＲ画像表示素子１０３上の表示位置を左にシフトすると共にＢ画像表示素子１０５上の表示位置を右にシフトした直線（補正＝Ｒ−１、Ｂ＋１）を表示する。
【００２０】
図５は、図4に示す画素ずれ調整用の表示を行って、実際の画素ずれがあった場合にどのような見え方をするか示した図である。図５（ａ）は、画素ずれが無い状態であり、（１）〜（９）の補正表示のうち（１）補正＝０の組合せで全ての色が一致した表示となる。図５（ｂ）は、Ｒ画像表示素子１０３の調整位置がＧ画像表示素子１０４およびＢ画像表示素子１０５の調整位置に対して右へ一画素ずれた状態であり、（３）補正＝Ｒ−１の組合せで全ての色が一致した表示となる。図５（ｃ）は、Ｒ画像表示素子１０３の調整位置がＧ画像表示素子１０４およびＢ画像表示素子１０５の調整位置に対して左へ一画素ずれた状態であり、（２）補正＝Ｒ＋１の組合せで全ての色が一致した表示となる。図５（ｄ）は、Ｂ画像表示素子１０５の調整位置がＲ画像表示素子１０３およびＧ画像表示素子１０４の調整位置に対して右へ一画素ずれた状態であり、（５）補正＝Ｂ−１の組合せで全ての色が一致した表示となる。図５（ｅ）は、Ｂ画像表示素子１０５の調整位置がＲ画像表示素子１０３およびＧ画像表示素子１０４の調整位置に対して左へ一画素ずれた状態であり、（４）補正＝Ｂ＋１の組合せで全ての色が一致した表示となる。図５（ｆ）は、Ｒ画像表示素子１０３およびＢ画像表示素子１０５の調整位置がＧ画像表示素子１０４の調整位置に対してそれぞれ右へ一画素ずれた状態であり、（７）補正＝Ｒ−１、Ｂ−１の組合せで全ての色が一致した表示となる。図５（ｇ）は、Ｒ画像表示素子１０３およびＢ画像表示素子１０５の調整位置がＧ画像表示素子１０４の調整位置に対してそれぞれ左へ一画素、右へずれた状態であり、（６）補正＝Ｒ＋１、Ｂ＋１の組合せで全ての色が一致した表示となる。図５（ｈ）は、Ｒ画像表示素子１０３およびＢ画像表示素子１０５の調整位置がＧ画像表示素子１０４の調整位置に対してそれぞれ右へ一画素、左へ一画素ずれた状態であり、（８）補正＝Ｒ−１、Ｂ＋１の組合せで全ての色が一致した表示となる。図５（ｉ）は、Ｒ画像表示素子１０３およびＢ画像表示素子１０５の調整位置がＧ画像表示素子１０４の調整位置に対してそれぞれ左へ一画素、右へ一画素ずれた状態であり、（９）補正＝Ｒ＋１、Ｂ−１の組合せで全ての色が一致した表示となる。
【００２１】
図４および図５は、図２の水平方向に画素ずれがある場合に対応した画素ずれ調整表示について説明したが、図３に示したような垂直方向のずれに対しては、図４に示した垂直の直線を水平の直線とし、Ｒ画像表示素子１０３およびＢ画像表示素子１０５の一画素シフト方向を上下に置き換えることで同様な調整が可能である。
【００２２】
従って、画素ずれ調整モードにおいて表示される直線の組合せのうち、全ての色が一致して表示されている組合せの番号を選択することによって、簡単に画素ずれを特定することが出来る。
【００２３】
なお、図３および図４では、説明のため全ての色が一致した時にＲ、Ｇ、Ｂの直線が重ならないで一直線に並ぶように示している。実際も、図３および図４のように全ての色が一致した時にＲ、Ｇ、Ｂの直線が縦一本に並ぶような表示でも、Ｒ、Ｇ、Ｂの直線が重なって白色となるような表示としても良い。
【００２４】
次に、画素ずれ調整時の操作フローを図６に示す。
【００２５】
画素ずれ調整モードに入ると、図６において、ステップＳ１０１で図４に示した素ずれ調整パターンを表示する。ステップＳ１０２で画素ずれ調整パターンのうちどの組合において全ての色が一致しているかを判別し、ステップＳ１０３で判別の結果、選択した組合せ番号を画像表示装置１００の備える操作キー入力部１０８で入力する。この入力方法としては、操作キー入力部１０８にテンキーを備えてテンキー操作で直接選択番号を入力するように出来る。また、カーソルのアップ／ダウンキーで調整パターン番号を選択するようにしても良い。リモコンの操作キーで操作可能としても良い。
【００２６】
ステップＳ１０４では、ステップＳ１０３における選択入力結果に基づいて表示位置の調整を行い、ステップＳ１０５で画素ずれ調整モードを終了が選択された場合該モードを終了して画素ずれ調整を行った状態で表示を行う。
【００２７】
図７は、図６に示す操作フローのうちステップＳ１０３およびステップＳ１０４を詳細に説明したものである。すなわち、ステップＳ１０２で判別した結果、パターン（１）を選択するとステップＳ１０３ａから表示位置の調整を行わずにステップＳ１０５へ進む。パターン（２）を選択するとステップＳ１０３ｂからステップＳ１０４ｂへ進み、Ｒ画像表示素子１０３の表示位置を水平方向右に位置画素調整してステップＳ１０５へ進む。パターン（４）以下を選択した場合、それぞれの調整表示に従って対応する画像表示素子の表示位置の調整を行う。ここで、画像位置の調整は、画像表示素子へ画像信号を書き込むための水平同期タイミングに対する画像信号の開始位置を調整することによって行うことが出来る。
【００２８】
本実施例では、画像表示素子上の表示位置を調整するので、画像欠けを生じないために所望する画像表示領域外に調整用の画素を備えることが望ましい。
【００２９】
ところで、本実施例のようにＲ、Ｇ、Ｂの直線をそれぞれ一本しか表示しないので画素ずれの調整範囲は一画素分のみである。従って、一画素以上のずれがある場合は、始めの調整でずれが少なくなる組合せを選択して調整を行った後、再度ずれが最小になるまで操作を繰り返すことで調整を行うことが出来る。
【００３０】
なお、ここでは、水平方向の画素ずれに関して説明したが、垂直方向の画素ずれに関しても同様の操作フローとなる。この操作フローでは、水平方向の画素ずれと垂直方向の画素ずれを個別に調整する場合を示し、従って水平画素ずれ調整モードと垂直画素ずれ調整モードとを個別に備えるようしている。
【００３１】
また、水平画素ずれ調整と垂直画素ずれ調整とを連続して行うようにしても良い。この場合、図８に示すようにステップＳ１０１〜ステップＳ１０５までの水平方向の画素ずれ調整とステップＳ１０６〜ステップＳ１１０までの垂直方向の画素ずれ調整とを連続して行うようにする。ここで、水平方向画素ずれと垂直方向画素ずれのどちらを先に調整するようにしても良いことは明白である。
【００３２】
さらに、本実施例では調整パターンの判別を使用者の目視として説明したが、ＣＣＤカメラなどの検出装置を用いて行うようにしても良い。
【００３３】
以上説明したように、本実施例によれば、画素ずれ調整モードで表示された画像から最適に表示されている画像番号を選ぶだけで簡単に表示位置調整を行うことが出来る。
【００３４】
（実施の形態２）
本実施形態では、一画素以上のずれを判別するために、画素ずれ調整モード時に図９に示す四本の直線画像をＯＳＤ生成部１０２で生成して各画像表示素子１０３乃至１０５に表示する。
【００３５】
該四本は、二画素、一画素、および一画素の間隔を置いた直線である。図９（１）では、画像表示素子１０３乃至１０５のそれぞれの表示領域中において、同一表示位置に垂直な直線（補正＝０）を表示する。図９（２）では、Ｇ画像表示素子１０４とＢ画像表示素子１０５上の表示位置は変えずにＲ画像表示素子１０３上の画像を一画素右にシフトした直線（補正＝Ｒ＋１）を表示し、図９（３）では、Ｇ画像表示素子１０４とＢ画像表示素子１０５上の表示位置は変えずにＲ画像表示素子１０３上の画像を一画素左にシフトした直線（補正＝Ｒ−１）を表示する。図９（４）および（５）は、図９（２）および（３）と同様にＲ画像表示素子１０３およびＧ画像表示素子１０４に対してＢ画像表示素子１０５上の表示位置を右（補正＝Ｂ＋１）および左（補正＝Ｂ−１）にシフトした直線を表示する。図９（６）および（７）は、Ｇ画像表示素子１０４に対してＲ画像表示素子１０３およびＢ画像表示素子１０５上の直線位置をそれぞれ右（補正＝Ｒ＋１、Ｂ＋１）および左（補正＝Ｒ−１、Ｂ−１）にシフトした直線を表示する。図９（８）では、Ｇ画像表示素子１０４に対してＲ画像表示素子１０３上の表示位置を右にシフトすると共にＢ画像表示素子１０５上の表示位置を左にシフトした直線（補正＝Ｒ＋１、Ｂ−１）を表示し、図９（９）では、Ｇ画像表示素子１０４に対してＲ画像表示素子１０３上の表示位置を左にシフトすると共にＢ画像表示素子１０５上の表示位置を右にシフトした直線（補正＝Ｒ−１、Ｂ＋１）を表示する。
【００３６】
図９（１）に示す四本の直線の座標を仮に右端を座標０とし、他の直線の座標を左へ順に−２、−４、−７とする。Ｇ画像表示素子１０４上の直線表示座標（−７，−４，−２，０）を基準として、調整無し、右に一画素（＋１）、および左に一画素（−１）調整した場合のＲ画像表示素子１０３あるいはＢ画像表示素子１０５上の座標は、表１に示すようになる。表１の座標は、それぞれのＲ画像表示素子１０３あるいはＢ画像表示素子１０５の調整位置がＧ画像表示素子１０４に対してずれていない場合の表示座標である。
【００３７】
【表１】
2007049615.tif 000003
画素ずれがあった場合、該画素ずれのある画像表示素子上の直線の座標は、Ｇ画像表示素子１０４上の座標に対して（Ｇ座標）＋（ずれ）＋（調整）となる。例えば右に二画素分のずれがあった場合、Ｇ画像表示素子上の座標に対応する座標は表２に示すようになる。ここで、Ｇ座標（−７，−４，−２，０）に対して（Ｇ座標）＋（ずれ）＋（調整）の座標値で一致するところがあれば調整可能である。
【００３８】
【表２】
2007049615.tif 000004
例えば、Ｇ画像表示素子１０４に対してＲ画像表示素子１０３のみ二画素右にずれていたとすると、Ｒ画像表示素子１０３上で調整無し表示における中の二本の座標（−２）と（０）がＧ画像表示素子１０４上の右二本の座標−２）と（０）に一致すると共に、Ｒ画像表示素子１０３上で＋１調整した表示の左端の直線の座標（−４）がＧ画像表示素子１０４上の左から二番目の座標（−４）と一致する。この状態は、図１０に示すようになる。
【００３９】
画素ずれに対する一致本数の組合せを表３乃至表７に示す。表中の第一列に示す（１）乃至（９）は画素ずれ調整パターン番号を示し、第一行に示す（ａ，ｂ）のａはＲ画像素子１０３の画素ずれ量を、ｂはＢ画像素子１０５の画素ずれ量を示す。従って、（２，−１）は、Ｒ画像素子１０３が右方向へ二画素ずれ、Ｂ画像素子１０５が左へ一画素ずれた場合を示す。
【００４０】
【表３】
2007049615.tif 000005
【００４１】
【表４】
2007049615.tif 000006
【００４２】
【表５】
2007049615.tif 000007
【００４３】
【表６】
2007049615.tif 000008
【００４４】
【表７】
2007049615.tif 000009
図９および図１０は、水平方向に画素ずれがある場合に対応した画素ずれ調整表示について説明したが、垂直方向のずれに対しては、図９に示した垂直の直線を水平の直線とし、Ｒ画像表示素子１０３およびＢ画像表示素子１０５の一画素シフト方向を上下に置き換えることで同様な調整が可能である。従って、画素ずれ調整モードにおいて表示される直線の組合せに対して、全ての色が一致する直線の本数を判別し、該判別した本数の組合せから簡単に画素ずれを特定することが出来る。
【００４５】
なお、図９および図１０では、説明のため全ての色が一致した時にＲ、Ｇ、Ｂの直線が重ならないで一直線に並ぶように示している。実際も、図９および図１０のように全ての色が一致した時にＲ、Ｇ、Ｂの直線が縦一本に並ぶような表示でも、Ｒ、Ｇ、Ｂの直線が重なって白色となるような表示としても良い。
【００４６】
次に、画素ずれ調整時の操作フローを図１１に示す。
【００４７】
画素ずれ調整モードに入ると、図１１において、ステップＳ２０１で図１０に示した画素ずれ調整パターンを表示する。ステップＳ２０２で画素ずれ調整パターンの各組合せにおいて全ての色が一致している本数を判別し、ステップＳ２０３で判別した一致本数を画像表示装置１００の備える操作キー入力部１０８で入力する。この入力方法としては、操作キー入力部１０８にテンキーを備えてテンキー操作で直接選択番号を入力するように出来る。また、カーソルのアップ／ダウンキーで判別本数を加減出来るようにしても良い。リモコンの操作キーで操作可能としても良い。
【００４８】
ステップＳ２０４では、ステップＳ２０３において入力した一致本数の組合せに基づいて画像表示装置１００を構成するシステムコントローラ１０７が画素ずれの種類を判定して表示位置の調整を行い、ステップＳ２０５で画素ずれ調整モードを終了が選択された場合該モードを終了して画素ずれ調整を行った状態で表示を行う。
【００４９】
本実施例では、画像表示素子上の表示位置を調整するので、画像欠けを生じないために所望する画像表示領域外に調整用の画素を備えることが望ましい。
【００５０】
なお、ここでは、水平方向の画素ずれに関して説明したが、垂直方向の画素ずれに関しても同様の操作フローとなる。この操作フローでは、水平方向の画素ずれと垂直方向の画素ずれを個別に調整する場合を示し、従って水平画素ずれ調整モードと垂直画素ずれ調整モードとを個別に備えるようしている。
【００５１】
また、水平画素ずれ調整と垂直画素ずれ調整とを連続して行うようにしても良い。この場合、図１２に示すようにステップＳ２０１〜ステップＳ２０５までの水平方向の画素ずれ調整とステップＳ２０６〜ステップＳ１１０までの垂直方向の画素ずれ調整とを連続して行うようにする。ここで、水平方向画素ずれと垂直方向画素ずれのどちらを先に調整するようにしても良いことは明白である。
【００５２】
また本実施例では、直線本数を四本でそれぞれ、二画素、一画素、および一画素の間隔を置いた直線を表示するように説明したが、この直線本数および直線同士の間隔は、これに限定するものではなく、調整する画素範囲などに応じて選択すれば良い。
【００５３】
さらに、本実施例では調整パターンの判別を使用者の目視として説明したが、ＣＣＤカメラなどの検出装置を用いて行うようにしても良い。
【００５４】
以上説明したように、本実施例によれば、画素ずれ調整モードで表示された画像の組合せについて、各々全ての色が一致している直線の本数を判別して入力することによって簡単に複数画素の表示位置調整を行うことが出来る。
【００５５】
（実施の形態３）
図１２は、本実施例における画像表示装置の電気回路の概略構成を示すブロック図であり、実施例１における概略構成に対してシステムコントローラ１０７に対して画像表示装置１００へ外部からの制御を行うための制御インタフェース１０９を備える。
【００５６】
制御インタフェース１０９は、制御ケーブル２１０で画像出力装置３００に接続され、画像出力装置３００から画像表示装置１００の表示制御を可能とする。一般に、画像出力装置は、パーソナルコンピュータ（以下ＰＣ）である。
【００５７】
この構成において、実施例１あるいは実施例２で説明した画素ずれ調整は、ＰＣ上のアプリケーションソフトで実現する。つまり、図４あるいは図９に示す画素ずれ調整画面をＰＣ３００で作成して画像表示装置１００に表示し、図４に対しての選択番号、あるいは図９に対しての一致本数の入力は全てＰＣ上のアプリケーションソフトで行い、入力結果を制御ケーブル２１０および制御インタフェース１０９を介して画像表示装置１００のシステムコントローラ１０７へフィードバックし、システムコントローラ１０７が表示調整を行う。
【００５８】
以上説明したように、本実施例によれば、ＰＣから画像表示装置の画素ずれ調整が出来るので、操作環境に慣れているため簡単に複数画素の表示位置調整を行うことが出来る。
【図面の簡単な説明】
【００５９】
【図１】本発明によるの画像表示装置の電気回路の概略構成を示すブロック図である。
【図２】水平方向の画素ずれを説明する図である。
【図３】垂直方向の画素ずれを説明する図である。
【図４】第一の実施例における画素ずれ調整用の表示パターンである。
【図５】第一の実施例における画素ずれ調整を説明する図である。
【図６】第一の実施例における調整操作の一例を示すフローチャートである。
【図７】第一の実施例における調整操作の一例を示すフローチャートである。
【図８】第一の実施例における調整操作の一例を示すフローチャートである。
【図９】第二の実施例における画素ずれ調整用の表示パターンである。
【図１０】第二の実施例における画素ずれ調整を説明する図である。
【図１１】第二の実施例における調整操作の一例を示すフローチャートである。
【図１２】第二の実施例における調整操作の一例を示すフローチャートである。
【図１３】投射型画像表示装置の光学系概略構成例である。
【符号の説明】
【００６０】
１  光源ランプ
２、３  ダイクロイックミラー
４，５，６  反射ミラー
７、８、９  液晶パネル
１０  ダイクロイックプリズム
１１  投射レンズ
１００  画像表示装置
１０１  ディスプレイ入力インタフェース
１０２  画像処理部
１０３  Ｒ画像表示素子
１０４  Ｇ画像表示素子
１０５  Ｂ画像表示素子
１０６  ＯＳＤ生成部
１０７  システムコントローラ
１０８  操作キー入力部
１０９  制御インタフェース
【図１】
2007049615.tif 000010
【図２】
2007049615.tif 000011
【図３】
2007049615.tif 000012
【図４】
2007049615.tif 000013
【図５】
2007049615.tif 000014
【図６】
2007049615.tif 000015
【図７】
2007049615.tif 000016
【図８】
2007049615.tif 000017
【図９】
2007049615.tif 000018
【図１０】
2007049615.tif 000019
【図１１】
2007049615.tif 000020
【図１２】
2007049615.tif 000021
【図１３】
2007049615.tif 000022